【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
少なくとも１つの式（１）：
【化１】
2005517800.tif 000001
［式中、
Ｒ1及びＲ2は、相互に独立に、水素又は非置換の若しくは置換されたＣ1−Ｃ8アルキルであり、
Ｘ1、Ｘ2、Ｘ3及びＸ4は、相互に独立に、−Ｎ（Ｒ3）Ｒ4又は−ＯＲ5であり（ここで、Ｒ3及びＲ4は、水素、シアノ、非置換の又は置換されたＣ1−Ｃ8アルキル又はＣ5−Ｃ7シクロアルキルであるか、あるいはＲ3及びＲ4は、これらを連結している窒素原子と一緒に、複素環を形成し、そしてＲ5は、非置換の又は置換されたＣ1−Ｃ8アルキルである）、そして
Ｍは、水素又はカチオンである］で示される化合物を、少なくとも１つの式（２）：
【化２】
2005517800.tif 000002
［式中、
Ｒ6及びＲ7は、相互に独立に、水素、Ｃ1−Ｃ8アルキル、Ｃ1−Ｃ8アルコキシ又はハロゲンであり、そして
Ｍは、式（１）下の上記と同義である］で示される化合物と一緒に含む洗剤組成物。
【請求項２】
Ｒ1及びＲ2が、水素又はＣ1−Ｃ4アルキルであり、
Ｒ3及びＲ4が、水素；シアノ；非置換であるか、又はヒドロキシ、カルボキシ、シアノ、−ＣＯＮＨ2若しくはフェニルにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたＣ5−Ｃ7シクロアルキルであるか；あるいはＲ3及びＲ4が、これらを連結している窒素原子と一緒に、非置換の又はＣ1−Ｃ4アルキル置換されたモルホリノ、ピペリジン又はピロリジン環を形成し；そして
Ｒ5が、非置換であるか、又はヒドロキシにより置換されているＣ1−Ｃ8アルキルである、請求項１記載の組成物。
【請求項３】
Ｘ1、Ｘ2、Ｘ3及びＸ4が式：−Ｎ（Ｒ3）Ｒ4で示される基である、請求項１又は２記載の組成物。
【請求項４】
Ｘ1及びＸ3が、アミノであり、そして
Ｘ2及びＸ4が、式：−Ｎ（Ｒ3）Ｒ4で示される基［ここで、Ｒ3及びＲ4は、水素；シアノ；非置換であるか、又はヒドロキシ若しくはカルボキシにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたシクロヘキシルであるか；あるいはＲ3及びＲ4は、これらを連結している窒素原子と一緒に、非置換の又はＣ1−Ｃ4アルキル置換されたモルホリノ、ピペリジン又はピロリジン環を形成する］である、請求項１〜３のいずれか１項記載の組成物。
【請求項５】
Ｒ3及びＲ4が、これらを連結している窒素原子と一緒に、非置換の又はＣ1−Ｃ4アルキル置換されたモルホリノ、ピペリジン又はピロリジン環、好ましくはモルホリノ環を形成する、請求項４記載の組成物。
【請求項６】
Ｒ6及びＲ7が、水素であり、そして式（２）に示されるスルホ基のそれぞれが、オルト位に結合している、請求項１〜５のいずれか１項記載の組成物。
【請求項７】
Ｍが、水素、アルカリ−若しくはアルカリ土類−金属、又はアンモニウムであり、好ましくはナトリウムである、請求項１〜６のいずれか１項記載の組成物。
【請求項８】
ｉ）１〜７０％のアニオン性界面活性剤及び／又は非イオン性界面活性剤；
ii）０〜７５％のビルダー；
iii）０〜３０％の過酸化物；
iv）０〜１０％の過酸化物アクチベーター；並びに
ｖ）０．００１〜５％の式（１）及び（２）の化合物の混合物
を含む、請求項１〜７のいずれか１項記載の組成物。
【請求項９】
ｉ）５〜７０％のアニオン性界面活性剤及び／又は非イオン性界面活性剤；
ii）５〜７０％のビルダー；
iii）０．５〜３０％の過酸化物；
iv）０．５〜１０％の過酸化物アクチベーター及び／又は０．１〜２％の漂白触媒；並びに
ｖ）０．０１〜５％の式（１）及び（２）の化合物の混合物
を含む、請求項８記載の組成物。
【請求項１０】
洗剤組成物が、セルラーゼ、プロテアーゼ、アミラーゼ及びリパーゼよりなる群から選択される、少なくとも１種の酵素、好ましくはプロテアーゼを含む、請求項１〜９のいずれか１項記載の組成物。
【請求項１１】
少なくとも１つの式（1a）：
【化３】
2005517800.tif 000003
［式中、
Ｒ1及びＲ2は、相互に独立に、水素又は非置換の若しくは置換されたＣ1−Ｃ8アルキルであり、
Ｘ1、Ｘ2、Ｘ3及びＸ4は、相互に独立に、−Ｎ（Ｒ3）Ｒ4又は−ＯＲ5であり（ここで、Ｒ3及びＲ4は、水素；シアノ；非置換であるか、又はヒドロキシ、カルボキシ、シアノ、−ＣＯＮＨ2若しくはフェニルにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたＣ5−Ｃ7シクロアルキルであるか；あるいはＲ3及びＲ4は、これらを連結している窒素原子と一緒に、非置換の又はＣ1−Ｃ4アルキル置換されたモルホリノ、ピペリジン又はピロリジン環を形成し；
Ｒ5は、非置換であるか、又はヒドロキシにより置換されているＣ1−Ｃ8アルキルである）、そして
Ｍは、水素又はカチオンである］で示される化合物を含む洗剤組成物であり、洗剤は、セルラーゼ、プロテアーゼ、アミラーゼ及びリパーゼよりなる群から選択される、少なくとも１種の酵素を含む洗剤組成物。
【請求項１２】
Ｘ1、Ｘ2、Ｘ3及びＸ4が、式：−Ｎ（Ｒ3）Ｒ4で示される基である、請求項１１記載の組成物。
【請求項１３】
Ｘ1及びＸ3が、アミノであり、
Ｘ2及びＸ4が、式：−Ｎ（Ｒ3）Ｒ4で示される基［ここで、Ｒ3及びＲ4は、水素；シアノ又は非置換であるか、又はヒドロキシ若しくはカルボキシにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたシクロヘキシルであるか；あるいはＲ3及びＲ4は、これらを連結している窒素原子と一緒に、非置換の又はＣ1−Ｃ4アルキル置換されたモルホリノ、ピペリジン又はピロリジン環を形成する］であり、そして
Ｍが、水素、アルカリ−若しくはアルカリ土類−金属、又はアンモニウムであり、好ましくはナトリウムである、請求項１１及び１２のいずれか１項記載の組成物。
【請求項１４】
Ｒ3及びＲ4が、これらを連結している窒素原子と一緒に、非置換の又はＣ1−Ｃ4アルキル置換されたモルホリノ、ピペリジン又はピロリジン環、好ましくはモルホリノ環を形成する、請求項１３記載の組成物。
【請求項１５】
過酸化物、過酸化物アクチベーター及び／又は漂白触媒を含む、請求項１１〜１４のいずれか１項記載の組成物。
【請求項１６】
ｉ）１〜７０％のアニオン性界面活性剤及び／又は非イオン性界面活性剤；
ii）０〜７５％のビルダー；
iii）０〜３０％の過酸化物；
iv）０〜１０％の過酸化物アクチベーター；
ｖ）０．００１〜５％の式（1a）の化合物；並びに
vi）０．０５〜５％の、セルラーゼ、プロテアーゼ、アミラーゼ及びリパーゼよりなる群から選択される、少なくとも１種の酵素
を含む、請求項１１〜１５のいずれか１項記載の組成物。
【請求項１７】
ｉ）５〜７０％のアニオン性界面活性剤及び／又は非イオン性界面活性剤；
ii）５〜７０％のビルダー；
iii）０．５〜３０％の過酸化物；
iv）０．５〜１０％の過酸化物アクチベーター及び／又は０．１〜２％の漂白触媒；
ｖ）０．０１〜５％の式（1a）の化合物；並びに
vi）０．０５〜５％の、セルラーゼ、プロテアーゼ、アミラーゼ及びリパーゼよりなる群から選択される、少なくとも１種の酵素
を含む、請求項１１〜１６のいずれか１項記載の組成物。
【請求項１８】
酵素がプロテアーゼ酵素である、請求項１１〜１７のいずれか１項記載の組成物。
【請求項１９】
繊維材料の家庭内洗濯処理の方法であって、繊維材料を、式（1a）：
【化４】
2005517800.tif 000004
［式中、
Ｒ1及びＲ2は、相互に独立に、水素又は非置換の若しくは置換されたＣ1−Ｃ8アルキルであり、
Ｘ1、Ｘ2、Ｘ3及びＸ4は、相互に独立に、−Ｎ（Ｒ3）Ｒ4又は−ＯＲ5であり（ここで、Ｒ3及びＲ4は、水素；シアノ；非置換であるか、又はヒドロキシ、カルボキシ、シアノ、−ＣＯＮＨ2若しくはフェニルにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたＣ5−Ｃ7シクロアルキルであるか；あるいはＲ3及びＲ4は、これらを連結している窒素原子と一緒に、非置換の又はＣ1−Ｃ4アルキル置換されたモルホリノ、ピペリジン又はピロリジン環を形成し；
Ｒ5は、非置換であるか、又はヒドロキシにより置換されているＣ1−Ｃ8アルキルである）、そして
Ｍは、水素又はカチオンである］で示される化合物を含む洗剤の水溶液と接触させる方法であり、洗剤は、セルラーゼ、プロテアーゼ、アミラーゼ及びリパーゼよりなる群から選択される、少なくとも１種の酵素を含み、溶液の温度は、本プロセスをとおして５℃と４０℃の間、好ましくは５℃と３０℃の間である方法。
【請求項２０】
Ｘ1、Ｘ2、Ｘ3及びＸ4が、式：−Ｎ（Ｒ3）Ｒ4で示される基である、請求項１９記載の方法。
【請求項２１】
Ｘ1及びＸ3が、アミノであり、
Ｘ2及びＸ4が、式：−Ｎ（Ｒ3）Ｒ4で示される基［ここで、Ｒ3及びＲ4は、水素；シアノ又は非置換であるか、又はヒドロキシ若しくはカルボキシにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたシクロヘキシルであるか；あるいはＲ3及びＲ4は、これらを連結している窒素原子と一緒に、非置換の又はＣ1−Ｃ4アルキル置換されたモルホリノ、ピペリジン又はピロリジン環を形成する］であり、そして
Ｍが、水素、アルカリ−若しくはアルカリ土類−金属、又はアンモニウムであり、好ましくはナトリウムである、請求項１９及び２０のいずれか１項記載の方法。
【請求項２２】
Ｒ3及びＲ4が、これらを連結している窒素原子と一緒に、非置換の又はＣ1−Ｃ4アルキル置換されたモルホリノ、ピペリジン又はピロリジン環、好ましくはモルホリノ環を形成する、請求項２１記載の方法。
【請求項２３】
繊維材料を、繊維材料の重量に基づき０．０５〜３．０重量％の式（1a）の化合物で処理する、請求項１９〜２２のいずれか１項記載の方法。
【請求項２４】
少なくとも１つの式（１）：
【化５】
2005517800.tif 000005
［式中、
Ｒ1及びＲ2は、相互に独立に、水素又は非置換の若しくは置換されたＣ1−Ｃ8アルキルであり、
Ｘ1、Ｘ2、Ｘ3及びＸ4は、相互に独立に、−Ｎ（Ｒ3）Ｒ4又は−ＯＲ5であり（ここで、Ｒ3及びＲ4は、水素、シアノ、非置換又は置換のＣ1−Ｃ8アルキル又はＣ5−Ｃ7シクロアルキルであるか、あるいはＲ3及びＲ4は、これらを連結している窒素原子と一緒に、複素環を形成し、そしてＲ5は、非置換の又は置換されたＣ1−Ｃ8アルキルである）、そして
Ｍは、水素又はカチオンである］で示される化合物を、少なくとも１つの式（２）：
【化６】
2005517800.tif 000006
［式中、
Ｒ6及びＲ7は、相互に独立に、水素、Ｃ1−Ｃ8アルキル、Ｃ1−Ｃ8アルコキシ又はハロゲンであり、そして
Ｍは、式（１）下の上記と同義である］で示される化合物と一緒に含む、化合物の混合物。
【請求項２５】
Ｒ1及びＲ2が、水素又はＣ1−Ｃ4アルキルであり、
Ｒ3及びＲ4が、水素；シアノ；非置換であるか、又はヒドロキシ、カルボキシ、シアノ、−ＣＯＮＨ2若しくはフェニルにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたＣ5−Ｃ7シクロアルキルであるか；あるいはＲ3及びＲ4が、これらを連結している窒素原子と一緒に、非置換の又はＣ1−Ｃ4アルキル置換されたモルホリノ、ピペリジン又はピロリジン環を形成し；そして
Ｒ5が、非置換であるか、又はヒドロキシにより置換されたＣ1−Ｃ8アルキルである、請求項２４記載の化合物の混合物。
【請求項２６】
Ｘ1、Ｘ2、Ｘ3及びＸ4が、式：−Ｎ（Ｒ3）Ｒ4で示される基である、請求項２４及び２５のいずれか１項記載の化合物の混合物。
【請求項２７】
Ｘ1及びＸ3が、アミノであり、そして
Ｘ2及びＸ4が、式：−Ｎ（Ｒ3）Ｒ4で示される基［ここで、Ｒ3及びＲ4は、水素；シアノ又は非置換であるか、又はヒドロキシ若しくはカルボキシにより置換されたＣ1−Ｃ8アルキル、そしてＣ1−Ｃ8アルキル基は、中断されていないか、又は−Ｏ−により中断されており；非置換の又はＣ1−Ｃ4アルキル置換されたシクロヘキシルであるか；あるいはＲ3及びＲ4は、これらを連結している窒素原子と一緒に、非置換の又はＣ1−Ｃ4アルキル置換されたモルホリノ、ピペリジン又はピロリジン環を形成する］である、請求項２４〜２６のいずれか１項記載の化合物の混合物。
【請求項２８】
Ｒ3及びＲ4が、これらを連結している窒素原子と一緒に、非置換の又はＣ1−Ｃ4アルキル置換されたモルホリノ、ピペリジン又はピロリジン環、好ましくはモルホリノ環を形成する、請求項２７記載の化合物の混合物。
【請求項２９】
Ｒ6及びＲ7が、水素であり、そして式（２）に示されるスルホ基のそれぞれが、オルト位に結合している、請求項２４〜２８のいずれか１項記載の化合物の混合物。
【請求項３０】
Ｍが、水素、アルカリ−若しくはアルカリ土類−金属、又はアンモニウムであり、好ましくはナトリウムである、請求項２４〜２９のいずれか１項記載の化合物の混合物。
【請求項３１】
繊維材料の蛍光増白の方法であって、繊維材料を、請求項１と同義の式（１）及び（２）の化合物の混合物と接触させることを含む方法。
【請求項３２】
繊維材料がポリアミド、羊毛又は綿である、請求項３１記載の方法。